(57)【要約】【課題】電子書籍ファイルを開き、電子書籍の各ページを再生して閲覧しながら所望のフレームを検索する際、表示における一覧性、認識性、操作性の調和を図り、必要なページを含むフレームを簡単でわかり易い操作によって検索する。【解決手段】電子書籍再生装置は、所定のページ間隔で分割しページ間隔毎のデータを取り出すか（均一並び表示）、またはしおり３を付したページのデータを取り出すか（インデックス一覧表意）して、複数のサムネイル２を生成する。複数のサムネイルは、１つが大きなサイズのメインサムネイル２ａとされ、他のサムネイルは小サイズでメインサムネイル２ａの上部及び下部から斜め上方及び下方に連続して、略く字状に配列される。左右方向指示キーの操作によりサムネイル間のページ間隔を変更し、また上下方向指示キーの操作により複数のサムネイルがジャンプして移動する。【選択図】図２
2006313485.tif 000002
【特許請求の範囲】
【請求項１】
複数ページからなる電子書籍の所望ページのデータに基づき複数のサムネイルを生成し、表示する電子書籍表示装置において、
１つのサムネイルは大サイズのメインサムネイルとして表示し、他のサムネイルは前記メインサムネイルから水平乃至傾斜方向に連続して配列される小サイズのサムネイルとして表示し、左右方向の操作により前記サムネイル間のページ間隔を変更し、上下方向の操作により前記複数のサムネイルを移動することを特徴とする電子書籍表示装置。
【請求項２】
請求項１に記載の電子書籍表示装置において、前記所望ページは隣接する前記サムネイル間のページ間隔をそれぞれ任意に設定したページであることを特徴とする電子書籍表示装置。
【請求項３】
請求項１に記載の電子書籍表示装置において、前記所望ページは隣接する前記サムネイル間のページ間隔をそれぞれ均一に設定したページであることを特徴とする電子書籍表示装置。
【請求項４】
請求項１に記載の電子書籍表示装置において、前記所望ページはしおりが付されたページであることを特徴とする電子書籍表示装置。
【請求項５】
請求項１乃至４のいずれかに記載の電子書籍表示装置において、前記複数のサムネイルは前記メインサムネイルを折曲部として全体が略く字状または略Ｃ字状に、かつページ順に配列されることを特徴とする電子書籍表示装置。
【請求項６】
請求項１乃至４のいずれかに記載の電子書籍表示装置において、前記複数のサムネイルは前記メインサムネイルを左右方向の中央部として全体が階段状に、かつページ順に配列されることを特徴とする電子書籍表示装置。
【請求項７】
請求項１乃至６のいずれかに記載の電子書籍表示装置において、前記左右方向の操作は左右方向指示装置の操作、前記上下方向の操作は上下方向指示装置の操作であることを特徴とする電子書籍表示装置。
【請求項８】
請求項１乃至７のいずれかに記載の電子書籍表示装置において、表示されている複数のサムネイルは、電子書籍全体に対しどのような範囲及び割合を占めているかを示すとともに、前記メインサムネイルの前記電子書籍における位置を示すゲージを表示することを特徴とする電子書籍表示装置。
【請求項９】
複数ページからなる電子書籍の所望ページのデータを取り出して複数のサムネイルを生成し、１つのサムネイルを大サイズのメインサムネイルとして表示し、他のサムネイルを前記メインサムネイルの上部及び下部から水平乃至傾斜方向に連続して配列された複数のサムネイルとして表示する電子書籍表示装置の操作方法において、左右方向指示操作により前記サムネイル間のページ間隔を変更し、上下方向指示操作により前記複数のサムネイルを移動することを特徴とする電子書籍表示装置の操作方法。
【発明の詳細な説明】
【技術分野】
【０００１】
本発明は電子書籍表示装置及び該表示装置の操作方法に関し、さらに詳細には、電子書籍の所望ページのデータに基づき複数のサムネイルを生成して１画面に表示することにより、電子書籍の全体の内容が把握しやすく、操作性がよい電子書籍表示装置及び該表示装置の操作方法に関する。
【背景技術】
【０００２】
電子書籍（出版物、ブック）とは、通常、文章を中心として文字、音声、画像等をＣＤ−ＲＯＭ、ハードディスク（ＨＤＤ）、ＳＤカード等任意の記録媒体に記録したものを意味する。電子書籍は、専用の再生装置、パーソナルコンピュータ等の情報処理装置によって再生し、表示装置に表示するようにしているが、このような情報処理装置においては、画像再生や編集作業を行う際に、大量のページの中からユーザが所望するページを迅速に選択するには、書籍全体の内容を簡潔な内容表示により迅速に表示することが必要である。
【０００３】
従来の情報処理装置において、表示画面を用いて大量の書籍データの中から所望のページを検索する場合には、電子書籍ファイルを開き閲覧しながら、ページ送り、ページ戻しを行い、必要とするページにたどり着くという方法がとられていた。また、画像モニタにしおり一覧といわれるしおり画像を表示し、このしおり画像中から拡大再生するページを選択し、実行ボタンを押すことにより、その選択したページを画像モニタに拡大表示するようにしていた。
【０００４】
このような状況の中で、操作性のよいユーザインターフェース表示を開発するための多くの試みがなされているが、その１つとして特許文献１には、表示画面上でしおりを挟むことを指示することにより、しおりを挟んだページを参照し得るようにしたドキュメント表示システムが開示され、このドキュメント表示システムにおいては、資料の表示画面にしおり使用を指示する領域としおり参照を指示する領域を設け、あるページが表示されているときしおり使用が指示された場合、ページの表示内容を縮小してしおりを作成する手段と、しおり参照が指示された場合、それまでに作成されたしおりを一覧し得る如く表示する手段と、これらの手段により表示された各しおりのいずれかを選択指示することにより前記しおりに対応するページを画面に表示する手段とを設けている。
【０００５】
また、特許文献２には、しおり・インデックスとして登録される情報内容をより詳細に記述することにより、検索処理を簡単化して、作業の効率化を図る画像処理装置が開示され、この画像処理装置においては、インターネットのしおりやＣＤ−ＲＯＭ等データベースのインデックスの索引情報として、文字のみならず表示された画像を付加して登録し、その登録した索引情報に基づいて元のデータを検索するようにしている。
【０００６】
また、特許文献３は本出願人によって提案されているもので、動画のように大量の画像ファイルからなるデータの全体像を把握し易くするための動画分割表示装置が開示されている。
図６は、動画分割表示装置において、均一時間並び表示を行う例を示す図である。
均一時間並び表示を行う図６の動画分割表示装置においては、画面中央に動画表示部１０１を有し、動画データを所定の時間間隔で分割し、この時間間隔毎の先頭を静止画データとして時系列的に取り出し、それぞれの静止画のサイズを縮小して生成した複数のサムネイル１０２を表示する。生成された複数のサムネイル１０２は、全体として略く字状に配列され、反時計方向あるいは時計方向に新しくなるような時系列で表示する。
【０００７】
全体が略く字状に配列された複数のサムネイル１０２のうち、画面左寄り中央部の折曲部に位置するサムネイルは大サイズのメインサムネイル１０２ａで、他のサムネイルは小サイズのサムネイルでメインサムネイル１０２ａの右上部から斜め上方向に、また右下部から斜め下方向へと連続して配列されている。
また、メインサムネイル１０２ａの側方には、画像ファイルの名前、情報量、作成日時等を表示する詳細情報表示部１０３が表示され、さらに、動画表示部１０１の右端には、現在表示されている複数のサムネイルの範囲は、画像ファイル全体に対してどのような位置であって、どのような割合を占めているのかを直感的に表示するとともに、メインサムネイル１０２ａは画像ファイルのどの位置のデータであるのかを把握するゲージ１０４が表示されている。
【０００８】
複数のサムネイル１０２が均一時間並び表示で配列されている例にあっては、各サムネイル間の時間間隔は均一である。均一時間並び表示においては、図６の下方に示すように、全動画ファイルを一定時間で等間隔に分割して（図６では１８等分）チャプタとし、各々のチャプタの先頭シーンがサムネイルとして作成される。これらのサムネイル１０２のうち、時間的に連続する９個のサムネイルが選択され、図６の上方に示すように表示される。また、９個のサムネイル１０２の中央に位置するサムネイルがメインサムネイル１０２ａとして表示される。図６の下方の時間スケールは、ゲージ１０４によって実現される。
【０００９】
図６の均一時間並び表示においてサムネイルの表示を操作するには、上下方向指示キー、左右方向指示キー等を用いることができ、例えば上下方向指示キーの押圧操作によって、複数のサムネイル全体を下方または上方にスクロールさせウインドゥ間でジャンプすることができる。また、左右方向指示キーの押圧操作によってサムネイル間の時間間隔（時間刻み）を変更することができる。また、決定キーを押圧する操作によってメインサムネイルを全画面表示としたり、メインサムネイル以降の画像データを動画として再生したりすることができる。
【００１０】
図７は、動画分割表示装置において、インデックス一覧表示を行う例を示す図である。
図７は、複数のサムネイル１０２が、インデックス一覧表示で表示されている例であって、各サムネイル間の時間間隔はそれぞれユーザにより任意に設定可能である。図７の下方の時間スケールは、ユーザにより予め任意に設定された各インデックス（チャプタの先頭シーンをサムネイルとした）の位置Ａ，Ｂ，Ｃ，…，Ｌを示している。インデックス一覧表示においては、これらのサムネイル１０２のうち時間的に連続する９つが選択され、図７のように表示される。また、９個のサムネイルの中央に位置するサムネイルは、メインサムネイル１０２ａとしてメインウインドゥに表示される。図７の画面下方の時間スケールは、ゲージ１０４によって実現される。
【００１１】
図７のインデックス一覧表示においてサムネイルを操作するには、例えば、上下方向指示キー、左右方向指示キー等を用いて、上または下方向指示キーの押圧操作によってサムネイル全体を下方または上方にスクロールさせウインドゥ間をジャンプすることができる。また、決定キーの押圧操作によってメインサムネイルを全画面表示としたり、メインサムネイル以降を動画として再生したりすることができる。
【特許文献１】特開平３−４１５５９号公報
【特許文献２】特開２０００−４７７８９号公報
【特許文献３】特願２００５−９２２１２号
【発明の開示】
【発明が解決しようとする課題】
【００１２】
しかしながら、従来の一般的な電子書籍表示装置においては、大量の書籍データの中から所望のページを探し当てるまでに不必要なデータについても大量に閲覧しなければならず、ユーザにとって多大な時間と手間を要し、単純な操作で短時間に必要なページを検索することが困難であった。
【００１３】
また、しおり一覧といわれるサムネイル画像を複数表示する装置においては、画像が“田の字状”あるいは横１列表示で、一覧性と認識性を両立しているものではなかった。つまり、認識性を上げるためにサムネイル画像を大きく表示すると、表示できる数が減少し一覧性に欠ける。一覧性を上げるために表示数を増やすと、個々が小さくなり認識性が下がる。また、目的のサムネイル画像に行き着くために、上下左右の操作をしなければならず、操作が煩雑であった。
【００１４】
したがって、本発明は、書籍ファイルを開き、そのページを再生して閲覧しながら所望のページを検索する際、ユーザインターフェース表示における一覧性、認識性、操作性の調和を図り、必要なページを簡単でわかり易い操作によって検索することができる電子書籍表示装置及びその操作方法を提供することを目的とする。
【００１５】
また、ユーザインターフェース表示において再生するページ間のページ間隔を容易に変更することを可能とし、あたかも書籍の複数ページを纏めてめくるかのように表示し、従来の自動再生といった閲覧形態とは異なる書籍の閲覧形態が可能となる電子書籍表示装置及びその操作方法を提供することを目的とする。
【課題を解決するための手段】
【００１６】
第１の技術手段は、複数ページからなる電子書籍の所望ページのデータに基づき複数のサムネイルを生成し、表示する電子書籍表示装置において、１つのサムネイルは大サイズのメインサムネイルとして表示し、他のサムネイルは前記メインサムネイルから水平乃至傾斜方向に連続して配列される小サイズのサムネイルとして表示し、左右方向の操作により前記サムネイル間のページ間隔を変更し、上下方向の操作により前記複数のサムネイルを移動することを特徴とする。
【００１７】
第２の技術手段は、第１の技術手段の電子書籍表示装置において、前記所望ページは隣接する前記サムネイル間のページ間隔をそれぞれ任意に設定したページであることを特徴とする。
【００１８】
第３の技術手段は、第１の技術手段の電子書籍表示装置において、前記所望のページは隣接する前記サムネイル間のページ間隔をそれぞれ均一に設定したページであることを特徴とする。
【００１９】
第４の技術手段は、第１の技術手段の電子書籍表示装置において、前記所望ページはしおりが付されたページであることを特徴とする。
【００２０】
第５の技術手段は、第１乃至４のいずれかの技術手段の電子書籍表示装置において、前記複数のサムネイルは前記メインサムネイルを折曲部として全体が略く字状または略Ｃ字状に、かつページ順に配列されることを特徴とする。
【００２１】
第６の技術手段は、第１乃至４のいずれかの技術手段の電子書籍表示装置において、前記複数のサムネイルは前記メインサムネイルを左右方向の中央部として全体が階段状に、かつページ順に配列されることを特徴とする。
【００２２】
第７技術手段は、第１乃至第６のいずれかの技術手段の電子書籍表示装置において、前記左右方向の操作は左右方向指示装置の操作、前記上下方向の操作は上下方向指示装置の操作であることを特徴とする。
【００２３】
第８技術手段は、第１乃至第７のいずれかの技術手段の電子書籍表示装置において、表示されている複数のサムネイルは、電子書籍全体に対しどのような範囲及び割合を占めているかを示すとともに、前記メインサムネイルの前記電子書籍における位置を示すゲージを表示することを特徴とする。
【００２４】
第９の技術手段は、複数ページからなる電子書籍の所望ページのデータを取り出して複数のサムネイルを生成し、１つのサムネイルを大サイズのメインサムネイルとして表示し、他のサムネイルを前記メインサムネイルの上部及び下部から水平乃至傾斜方向に連続して配列された複数のサムネイルとして表示する電子書籍表示装置の操作方法において、左右方向指示操作により前記サムネイル間のページ間隔を変更し、上下方向指示操作により前記複数のサムネイルを移動することを特徴とする。
【発明の効果】
【００２５】
本発明によれば、複数ページを含む電子書籍の所望ページのデータに基づき複数のサムネイルを生成し、表示する電子書籍表示装置及びその操作方法において、１つのサムネイルは大サイズのメインサムネイルとして表示し、他のサムネイルは前記メインサムネイルから水平乃至傾斜方向に連続して配列される小サイズのサムネイルとして表示し、左右方向の操作により前記サムネイル間のページ間隔を変更し、上下方向の操作により前記複数のサムネイルを移動する構成であるので、電子書籍データに含まれる大量の画像データの内容を一覧性と認識性の調和を図って表示するとともに、メインサムネイルを画面に大サイズで表示することによって詳細かつ容易に把握することが可能となる。
【００２６】
また、複数のサムネイルは全体が略く字状または略Ｃ字状あるいは階段状に配列され、複数のサムネイルがページ順に表示され、左右方向指示キーの操作によりサムネイル間のページ間隔を変更し、また上下方向指示キーの操作等により前記複数のサムネイルが移動しジャンプする構成であるので、画面構成が表示装置を操作する際の動作を容易に想像させ、動画再生時や動画編集作業時に所望のページを容易に検索することが可能となる。
【００２７】
また、サムネイル相互間のページ間隔が均一な均一時間並び表示とサムネイル相互間のページ間隔がユーザにより任意に設定可能なしおり一覧表示において、それぞれのページ間隔を簡単でわかり易い操作によって変更することができ、作業時に必要に応じページ間隔を変更して、所望のシーンを容易に検索することが可能となる。
【００２８】
また、均一時間並び表示及びしおり一覧表示において、サムネイル相互間のページ間隔を変更することにより、あたかも書籍の複数ページを纏めてめくるかのように表示することが可能になり、従来の電子書籍再生において行われている自動再生等とは異なる書籍の視聴形態を提供することが可能となる。
【発明を実施するための最良の形態】
【００２９】
本発明は、書籍ファイルを開き、その書籍ファイルを再生して閲覧しながら所望のページを検索する際、ユーザインターフェース表示における一覧性、認識性、操作性の調和を図り、所望のページを簡単でわかり易い操作によって検索することができる電子書籍表示装置及び該表示装置の操作方法を提供することを目的とし、そのため、書籍データを任意のページ間隔で分割するか、所定のページ間隔で分割し、ページ間隔毎の先頭ページを静止画データとして取り出して複数のサムネイルを生成し、該複数のサムネイルを画面中に一覧表示する電子書籍表示装置において、前記複数のサムネイルは、１つを画面中に大サイズのメインサムネイルとして表示し、他のサムネイルを前記メインサムネイルから水平乃至傾斜方向に連続して配列される小サイズのサムネイルとしてページ順に表示し、左右方向の所定の操作により前記ページ間隔を変更し、また上下方向の所定の操作により前記複数のサムネイルを移動するように構成される。
以下、本発明の電子書籍表示装置及びその操作方法を図１〜図５に示す実施例に基づいて説明する。
【実施例１】
【００３０】
電子書籍は、文章を中心として文字、音声、画像等を例えばハードディスク、ＣＤ−ＲＯＭ、ＨＤＤ、ＳＤカード等の記録媒体に記録することよって実現され、ページ単位でテキストデータ、音声データ、画像データ等が時系列的に記録されており、本発明の電子書籍表示装置は、記録媒体からページ単位でテキストデータ、音声データ、画像データ等を取り出し、ページ単位の静止画のサイズを縮小したサムネイルを生成して、画面上に複数のサムネイルを表示する。
【００３１】
図１は、実施例１の電子書籍表示装置を示す図である。
実施例１の電子書籍表示装置は、しおり一覧表示を行う図７の表示装置に相当するものである。電子書籍表示部１には例えば９個のサムネイル２が全体として略く字状に配列され、１つのサムネイルは大サイズのメインサムネイル２ａに生成されて、選択されたページの文字や画像等が表示され、他のサムネイル２はメインサムネイル２ａから水平乃至傾斜方向に連続して配列される複数の小サイズのサムネイルとしてページ順に表示されている。略く字状に配列して表示された複数のサムネイル２の配列の順序は、反時計方向に後方のページとなるように表示するのが一般的であるが、逆にする等これに限られるものではない。また、１画面に表示されるサムネイル２の数は多いほど書籍の全体像を把握する一覧性の点からは好ましいが、図１に示す例では９個のサムネイルが表示され、画面サイズや解像度に応じ最適の数が設定される。
【００３２】
電子書籍から取り出すページのデータは、ユーザが任意に付したしおりのページとしている。電子書籍の先頭ページから最終ページの間において、ページＡ，Ｂ，Ｃ，Ｄ，…，Ｊ，Ｋにしおり３が挿入され、そのうちのページＡ〜Ｉがサムネイルに生成され、９個のウィンドウに表示され、ページＥのサムネイルはメインサムネイル２ａとしてメインウィンドウに表示されている。サムネイル２を生成するページはしおり３が付されたページ以外に、電子書籍中の章、節、文節といった区切りのよいページとする等任意である。
【００３３】
メインサムネイル２ａの側方には、メインサムネイル２ａに該当するファイルの名前、情報量、作成日時等を表示する詳細情報表示部４が配置されている。
また、電子書籍表示部１の右端にはゲージ５が表示され、現在表示されている複数のサムネイル２の範囲は、電子書籍全体に対してどのような位置であって、どのような割合を占めているのかを直感的に表示するとともに、メインサムネイル２ａは電子書籍のどの位置であるのかを把握できるように表示されている。
【００３４】
図１に示すように、しおり３が付された複数ページの複数のサムネイルが、しおり一覧表示のように表示されている例では、各サムネイル間のページ間隔はそれぞれユーザにより任意に設定可能である。図１の左方に示すページのスケールは、ユーザにより予め任意に付されたしおりのページＡ，Ｂ，Ｃ，…，Ｌを示している。しおり一覧表示においては、これらのサムネイルのうちページ順に連続する９ページＡ，Ｂ，Ｃ，…，Ｉ分選択され、表示される。また、９個のサムネイル２の中央に位置するページＥのサムネイルは、メインサムネイル２ａとして表示される。図１の画面左方の時間スケールは、ゲージ５によって実現される。
【００３５】
図１に示すしおり一覧表示において、サムネイル２の表示を操作するには、例えば、上下方向指示キー、左右方向指示キー等を用いて、上または下方向指示キーの押圧操作によってサムネイル全体を下方または上方にスクロールさせウィンドウ間をジャンプさせることができる。また、決定キーの押圧操作によってメインサムネイル２ａを全画面表示とすることができる。
【実施例２】
【００３６】
図２は、実施例２の電子書籍表示装置、及び表示内容が遷移する様子を示す図である。
実施例２の電子書籍表示装置は、均一展開を行う図６の表示装置に相当するものである。記録媒体から取り出すページ単位のデータは、電子書籍の先頭ページから最終ページの間を均等に分割し、その分割区間の先頭ページのデータとする。
図２（Ａ）に示す電子書籍表示装置は、左方に示すページのスケールのように、先頭ページから最終ページの間が１０等分されているので、先頭を含む１０％，２０％，３０％，…，８０％，９０％の位置にある１０ページ分のデータがサムネイル２に生成され、そのうちの９個のサムネイルが表示され、５０％の位置にあるページのサムネイルがメインサムネイル２ａとして大サイズで表示されている。また、ページＡ，Ｂ，Ｃ，Ｄ，…，Ｊ，Ｋにしおり３が付されており、ページＨは６０％の位置でもあるので、６０％の位置のサムネイルにはしおり３が付けられている。
【００３７】
分割単位が１０％である図２（Ａ）から図２（Ｂ）のように、分割単位を１／２、つまり５％にするには、左方向指示キーを操作する。これにより、先頭ページから最終ページの間が５％刻みで２０等分され、０％，５％，１０％，１５％，２０％，２５％，３０％，…，８０％，８５％，９０％，９５％の位置にある２０ページ分のデータがサムネイル２に生成され、そのうちの９個のサムネイル（図２（Ｂ）では３０％，３５％，４０％，…，６５％，７０％）が表示され、５０％の位置にあるページのサムネイルがメインサムネイル２ａとして表示されている。また、ページＧは５５％の位置であり、ページＨは６０％の位置でもあるので、５５％，６０％の位置のサムネイルにはしおり３のマークが付けられている。
【００３８】
さらに、分割単位が５％である図２（Ｂ）から図２（Ｃ）のように、ページ分割単位を１％にするには、左方向指示キーを操作する。これにより、４５％と５５％の間が１％刻みで１０等分され、４６％，４７％，４８％，…，５３％，５４％の位置にある９ページ分のデータが９個のサムネイルとして表示され、５０％の位置にあるページのサムネイルがメインサムネイル２ａとして表示されている。この場合にはいずれにもしおりが付されていないのでしおりのマークが付けられるサムネイルはない。
【実施例３】
【００３９】
図３は、実施例３の電子書籍表示装置、及び表示内容が遷移する様子を示す図である。
応用例３の電子書籍表示装置はサムネイルを均一展開し、電子書籍が４コマ漫画のシーンを展開している例であって、図６の均一時間並び表示を行う表示装置に相当する。
電子書籍表示部１には５個のサムネイル２が全体として階段状に配列され、１つのサムネイルは大サイズのメインサムネイル２ａとして電子書籍表示部１の中央部に表示され、他のサムネイルはメインサムネイル２ａの左上及び右下からそれぞれ左水平方向及び右水平方向に連続して配列される小サイズのサムネイルとして表示されている。
【００４０】
図３（Ａ）では、５個のウィンドウには、１ページの表題（Ｐ．１）に続き２〜５ページの第１コマ（Ｐ．２）〜第４コマ（Ｐ．５）が上から下に向かって表示されている。第２コマ（Ｐ．３）が表示された位置に図３（Ｂ）のように４ページの第３コマ（Ｐ．４）を表示させるには、上方向指示キーを操作する。これにより、全てのサムネイルは上方向にスクロールし、第３コマ（Ｐ．４）が大サイズのメインサムネイル２ａとして表示され、１ページの表題（Ｐ．１）が削除され、新たに６ページの次の漫画の表題が表示される。同様に、上方向指示キーを操作することにより、図３（Ｃ）のように第４コマ（Ｐ．５）を大サイズのメインサムネイル２ａとして表示させ、新たに７ページの次の漫画の第１コマを表示させることができる。
なお、実施例３の電子書籍表示装置では、電子書籍表示部１に５個のサムネイル２が全体として３段の階段状に配列した例であるが、変形例として、複数のサムネイル２を全体が対角線状に、つまり５段の階段状に配列することもできる。
【００４１】
次に、本発明の電子書籍表示装置において実施される画像処理について説明する。
図４は、本発明の電子書籍表示装置において、サムネイルを生成し表示する画像処理装置を示すブロック図である。
本発明の電子書籍表示装置における画像処理装置の例においては、再生しようとする書籍ファイルはハードディスク（ＨＤＤ）に記録されており、このようなハードディスクを搭載したハードディスク装置１３、ファイルシステム部１４、電子書籍ページ展開部１５、電子書籍ページレイアウト処理部１６、電子書籍ページ一覧表示制御部１０、ページ一覧ＧＵＩ画面作成部１７、ページ画面とＧＵＩ画面の合成表示処理部１８、モニタ出力部１９、操作パネル制御検出部１２、操作パネル１１等から構成されている。
【００４２】
図５は、実施例１〜３に示すような電子書籍のサムネイル一覧画面を表示する際の処理を示すフローチャートである。
ハードディスク（ＨＤＤ）等に記録された電子書籍データを読み取って表示装置に表示する情報処理装置において、電子書籍の全体像を理解するような場合、ユーザが操作パネル１１から、電子書籍ページ一覧画面を表示するよう指示すると（ステップ１）、操作パネル制御検出部１２にて電子書籍ページ一覧画面表示要求が検出される（ステップ２）。
【００４３】
次に、電子書籍ページ一覧表示制御部１０はファイルシステム部１４に対してハードディスク等の記録媒体１３からファイルシステム部１４を介して電子書籍に関する情報を読み出すよう指示し、読み出した情報をファイルシステム部１４に保持する（ステップ３）。
次に、ファイルシステム部１４に保持されている電子書籍に関する情報からページ一覧ＧＵＩ画面作成部１７において、タイトル表示やページ位置表示のＧＵＩ画面を生成する（ステップ４）。
【００４４】
ステップ３でファイルシステム部１４に保持した電子書籍に関する情報を読み出し、電子書籍ページ展開部１５によって一覧表示するページをデコード、つまり画像イメージに展開し（ステップ５）、次に、電子書籍ページレイアウト処理部１６にて、前記デコードした複数の画像を必要な画面位置にレイアウトする（ステップ６）。
【００４５】
次に、ステップ４においてページ画面とＧＵＩ画面の合成表示処理部１８で生成したＧＵＩ画面と、ステップ６において電子書籍ページレイアウト処理部１６で生成したページレイアウト画面を合成する（ステップ７）。次に、作成したページ一覧画面をモニタ出力部１９においてモニタ出力する（ステップ８）。
【図面の簡単な説明】
【００４６】
【図１】実施例１の電子書籍表示装置を示す図である。
【図２】実施例２の電子書籍表示装置及び表示内容が遷移する様子を示す図である。
【図３】実施例３の電子書籍表示装置及び表示内容が遷移する様子を示す図である。
【図４】本発明の電子書籍表示装置において、サムネイルを生成し、表示する画像処理装置を示すブロック図である。
【図５】実施例１〜３に示すような電子書籍のサムネイル一覧画面を表示する際の処理を示すフローチャートである。
【図６】従来例の動画分割表示装置において、均一時間並び表示を行う例を示す図である。
【図７】従来例の動画分割表示装置において、インデックス一覧表示を行う例を示す図である。
【符号の説明】
【００４７】
１…電子書籍表示部、２…サムネイル、２ａ…メインサムネイル、３…しおり、４…詳細情報表示部、５…ゲージ、１０…電子書籍ページ一覧表示制御部、１１…操作パネル、１２…操作パネル制御検出部、１３…ハードディスク装置、１４…ファイルシステム部、１５…電子書籍ページ展開部、１６…電子書籍ページレイアウト処理部、１７…ページ一覧ＧＵＩ画面作成部、１８…ページ画面とＧＵＩ画面の合成表示処理部、１９…モニタ出力部。
【図１】
2006313485.tif 000003
【図２】
2006313485.tif 000004
【図３】
2006313485.tif 000005
【図４】
2006313485.tif 000006
【図５】
2006313485.tif 000007
【図６】
2006313485.tif 000008
【図７】
2006313485.tif 000009